(57)【要約】【課題】配光調節を実行できると共に、コンパクト化を実現し易く、更には、美観にも優れる照明装置を提供する。【解決手段】照明装置は、筐体内に配置される光源と、筐体内で光源よりも光出射側に配置されるレンズ３０を含み、光源に対して静止している静止部に対する相対回転が可能な光学ブロック７０と、光軸方向の位置が略変わらず、静止部に対して回転可能になっている回転部材５０とを備える。光学ブロック７０及び回転部材５０のうちの一方はガイド溝４６を有し、光学ブロック７０及び回転部材５０のうちの他方は、ガイド溝４６に嵌り込んで回転部材５０が静止部に対して回転するとガイド溝４６内における存在位置が変動する係合部６６を有する。【選択図】図３
2020119745.tif 000002
【特許請求の範囲】
【請求項１】
筐体と、
前記筐体内に配置される光源と、
前記筐体内で前記光源よりも光出射側に配置されるレンズを含み、前記光源に対して静止している静止部に対する相対回転が可能な光学ブロックと、
光軸方向の位置が略変わらず、前記静止部に対して回転可能になっている回転部材と、を備え、
前記光学ブロック及び前記回転部材のうちの一方はガイド溝を有し、
前記光学ブロック及び前記回転部材のうちの他方は、前記ガイド溝に嵌り込んで前記回転部材が前記静止部に対して回転すると前記ガイド溝内における存在位置が変動する係合部を有する、照明装置。
【請求項２】
前記ガイド溝が、前記光学ブロックに設けられている、請求項１に記載の照明装置。
【請求項３】
前記ガイド溝は、前記光軸方向と直交する平面に対して傾斜している、請求項１または２に記載の照明装置。
【請求項４】
前記光学ブロックが、前記レンズを保持するレンズホルダを有し、
前記ガイド溝は前記レンズホルダに設けられている、請求項１〜３のいずれか一項に記載の照明装置。
【請求項５】
前記光学ブロックは外周部に径方向外側へ突出する突出部を有し、前記回転部材は前記光軸方向に延在する切欠部を有し、前記光学ブロックが前記回転部材に対して光軸方向に移動するとき前記突出部が前記切欠部に嵌り込んだ状態で前記切欠部に沿って移動する、請求項１〜４のいずれか一項に記載の照明装置。
【請求項６】
前記筐体は、前記光源が固定される基台と、前記基台の前記光出射側に配置される枠体とを含み、
前記枠体の高さ方向に対する前記光軸方向の傾斜角度が変動可能である、請求項１〜５のいずれか一項に記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、基台、光源モジュール、第１円筒部材、第２円筒部材、レンズ保持体、及びレンズを備える。基台は、筐体上側を構成し、光出射側とは反対側に複数のフィンを有する。また、光源モジュールは、基台の光出射側の端面（主面）に固定され、光軸方向のフィン側とは反対側に光を出射する。また、第１円筒部材は、基台に相対移動不可に固定され、第２円筒部材は、第１円筒部材に光軸方向に相対移動可能に取り付けられる。第２円筒部材は、第１円筒部材に対して回転すると第１円筒部材に対する高さ位置が変動する。レンズ保持体は、照明装置の筐体下側を構成し、第２円筒部材の径方向外側に相対移動不可に固定される。レンズは、レンズ保持体の内側に相対移動不可に固定される。レンズは、光軸方向において光源モジュールよりも光出射側に位置する。この照明装置では、第１円筒部材を第２円筒部材に対して回転させることで光源モジュールに対するレンズ保持体の高さ位置を変動させることができるので、光源モジュールに対するレンズの光軸方向位置を調整できる。したがって、出射光の配光調節を実行できる。
【先行技術文献】
【特許文献】
【０００３】
【特許文献１】特許第６１５９４６０号公報
【発明の概要】
【発明が解決しようとする課題】
【０００４】
上記照明装置では、光源モジュールに対するレンズの光軸方向位置を変更するために第２円筒部材を第１円筒部材に対して回転させると、第２円筒部材の端部位置が第１円筒部材の端部から突出するように変動することになる。したがって、照明装置の光軸方向寸法が変動するため、照明装置が大型化し易く、見栄えもよくない。
【０００５】
そこで、本開示の目的は、配光調節を実行できると共に、コンパクト化を実現し易く、更には、美観にも優れる照明装置を提供することにある。
【課題を解決するための手段】
【０００６】
本開示に係る照明装置は、筐体と、筐体内に配置される光源と、筐体内で光源よりも光出射側に配置されるレンズを含み、光源に対して静止している静止部に対する相対回転が可能な光学ブロックと、光軸方向の位置が略変わらず、静止部に対して回転可能になっている回転部材と、を備える。光学ブロック及び回転部材のうちの一方はガイド溝を有し、光学ブロック及び回転部材のうちの他方は、ガイド溝に嵌り込んで回転部材が静止部に対して回転するとガイド溝内における存在位置が変動する係合部を有する。
【発明の効果】
【０００７】
本開示に係る照明装置によれば、配光調節を実行できると共に、コンパクト化を実現し易く、更には、美観にも優れる。
【図面の簡単な説明】
【０００８】
【図１】本開示の一実施形態に係る照明装置の斜視図である。
【図２】照明装置の下面図である。
【図３】照明装置の主要構成の分解斜視図である。
【図４】照明装置の基台の台座部に配置されている光源モジュールを示す斜視図である。
【図５】照明装置における光軸方向に平行な断面図である。
【図６】光学ブロックと回転部材の分解斜視図である。
【図７】光学ブロックの組立斜視図である。
【図８】光学ブロックおよび回転部材の組立斜視図である。
【図９】回転部材に対する光学ブロックの移動を説明するための斜視図である。
【図１０】レンズホルダの変形例を示す図７と同様の斜視図である。
【図１１】レンズホルダのガイド溝に係合する係合部の変形例を示す図である。
【発明を実施するための形態】
【０００９】
以下に、本開示に係る実施の形態について添付図面を参照しながら詳細に説明する。以下において複数の実施形態や変形例などが含まれる場合、それらの特徴部分を適宜に組み合わせて新たな実施形態を構築することは当初から想定されている。また、以下の実施形態は、図面において同一構成に同一符号を付し、重複する説明を省略する。また、異なる図間において、各部材における、縦、横、高さ等の寸法比は、必ずしも一致しない。また、図面、及び以下の説明において、光軸方向は、照明装置の出射光の光軸に沿った方向であり、径方向は光軸と直交する放射方向であり、周方向は、光軸周りの円周方向である。また、光軸方向は、レンズの中心軸の延在方向にも一致し、また、照明装置が天井に設置されて鉛直下方に向けられたときの上下方向及び高さ方向に一致する。また、以下の説明で、上側とは、光軸方向における光出射側とは反対側を指し、下側とは、光軸方向の光出射側を指す。また、以下で説明される構成要素のうち、最上位概念を示す独立請求項に記載されていない構成要素については、任意の構成要素であり、必須の構成要素ではない。
【００１０】
図１は、本開示の一実施形態に係る照明装置１の斜視図である。図１において、照明装置１の出射光の光軸Ｌが一点鎖線で示されている。図２は、照明装置１の下面図である。図１に示すように、照明装置１は、埋込型ユニバーサルダウンライトであり、ホール等の建物の天井に埋め込み配置され、下方に出射される出射光の光軸方向を変動させることができる。
【００１１】
照明装置１は、基台１０を備える。基台１０は、照明装置１の筐体の上側を構成し、有底円筒状部１１を有する。基台１０は、有底円筒状部１１内に光源６２（図４参照）を取り付ける取付台として機能する。基台１０は、上方に突出する複数のフィン１２を有し、基台全体が光源６２で発生する熱を放散させるヒートシンクとしても機能し、特にフィン１２が光源６２からの熱を外気に放熱する。このため、基台１０は、金属材料等の熱伝導率の高い材料によって構成されると好ましい。基台１０は、例えば、アルミダイカスト等で、有底円筒状部１１とフィン１２を一体成形することで構成される。なお、基台は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよいし、或いは、フィンをネジで有底筒状部に締結固定してもよい。なお、基台は、フィンを有さなくてもよい。
【００１２】
照明装置１は、更に、バネ取付部材１５、光軸調整用部材１７、及び枠体２０を備える。バネ取付部材１５、光軸調整用部材１７、及び枠体２０の夫々は、アルミニウム等の金属材料、又はポリブチレンテレフタレート等の樹脂材料によって好適に形成される。基台１０、バネ取付部材１５、光軸調整用部材１７、及び枠体２０は、次に示す如く一体化される。
【００１３】
図１に示すように、バネ取付部材１５は、環状平板部１５ａと、２つのバネ取付部１５ｂを含み、２つのバネ取付部１５ｂは、環状平板部１５ａの周方向に間隔をおいた位置で環状平板部１５ａから下側に突出する。また、枠体２０は、筐体の下側を構成する筒状部材であり、環状円板状の上側端面（図示せず）を含む。また、図１および図２に示すように、光軸調整用部材１７は、環状平板部１７ａ、上側基台固定部１７ｂ、及び下側基台固定部１７ｃを含み、上側基台固定部１７ｂは、環状平板部１７ａから上側に突出する一方、下側基台固定部１７ｃは、環状平板部１７ａから下側に突出する。
【００１４】
図１を参照して、バネ取付部材１５の環状平板部１５ａと枠体２０の上側端面とで光軸調整用部材１７の環状平板部１７ａを挟持した状態で、環状平板部１５ａを枠体２０の上側端面にネジ２７で固定する。この固定で、バネ取付部材１５、光軸調整用部材１７、及び枠体２０が一体化される。上側基台固定部１７ｂは長孔１７ｄを有し、下側基台固定部１７ｃはネジ挿通孔を有する。基台１０は、枠体２０に対して上側基台固定部１７ｂの長孔１７ｄと下側基台固定部１７ｃのネジ挿通孔を用いて枠体２０にネジ止めされる。
【００１５】
図１に示すように、枠体２０の中心軸の延在方向が光軸方向に略一致している状態では、基台１０は、ネジ２１で紙面における長孔１７ｄの中央部に締め付けられている。ネジ２１による締め付け位置が、紙面における長孔１７ｄの左側または右側に移動するにしたがって、基台１０が、枠体２０に対して傾斜する。これにより、照明装置１の光軸方向を、例えば鉛直方向に沿った枠体２０の中心軸方向に対して所望の角度傾斜した状態に向けることができる。
【００１６】
照明装置１は、更に、２つの取付バネ２３を備える。２つの取付バネ２３は、枠体外側にその中心軸を挟んで枠体２０の径方向に対向するように配置され、各取付バネ２３は、バネ取付部１５ｂに固定される。取付バネ２３は、例えば、屈曲部を有する金属板によって構成され、板バネ構造を有する。取付バネ２３を歪ませて、取付バネ２３を天井の埋め込み孔の周囲に当接させる。これにより、照明装置１は、取付バネ２３によって天井の埋め込み孔内面に固定される。
【００１７】
バネ取付部１５ｂは、枠体２０に取り付けられるので、枠体２０に対して静止し、天井の埋め込み孔にも静止する。したがって、枠体２０が埋め込み孔に対して静止するので、枠体２０に対して傾斜角度を調整できる基台１０を天井に対して所望の角度だけ傾斜させることができる。よって、基台１０に固定される光源６２（図４参照）から出射させる出射光の光軸Ｌを、鉛直方向に対して所望の角度だけ傾斜させることができるので、照射領域の自由度を格段に高くできる。なお、取付バネは３以上設けられてもよい。また、照明装置の天井への取付構造は、照明装置を天井に固定できる構造であれば如何なる構造でもよく、取付バネを含まなくてもよい。
【００１８】
照明装置１は、光源に対するレンズの光軸方向位置を変動させることができ、出射光を配光調節できるようになっている。次に、このことについて説明する。図３は、照明装置１の主要構成の分解斜視図である。図３では、枠体２０や取付バネ２３等の図示が省略されている。また、図４は、基台１０の台座部２４に配置されている光源モジュール６０を示す斜視図であり、図５は、照明装置１における光軸方向に平行な断面図である。
【００１９】
図３に示すように、照明装置１は、基台１０及び枠体２０に加えて、レンズ３０、レンズホルダ４０、回転部材５０、及び光源モジュール６０を備える。光源モジュール６０は、基台１０の有底円筒状部１１において底部に相当する台座部２４にネジ６３で固定されており、基板６１と光源６２とを有する。基板６１は、平面視で略矩形の形状を有し、光源６２は、円板状の形状を有し、基板６１の下面（実装面）の略中央に配設される。光源モジュール６０は、例えば、ＣＯＢ（Chip On Board）構造を有し、光源６２は、基板６１に実装された複数のＬＥＤ（light emitting diode）と、複数のＬＥＤを封止する封止部材を含む。
【００２０】
基板６１は、例えば、セラミックス基板、樹脂基板、又はメタルベース基板等で構成される。基板６１には、一対の電極端子６４ａ，６４ｂと、所定パターンの金属配線（図示せず）が形成される。一対の電極端子６４ａ，６４ｂは、光源６２のＬＥＤを発光させるための直流電力を外部から受電するために設けられる。また、所定パターンの金属配線は、ＬＥＤ同士を電気的に接続するために設けられる。
【００２１】
ＬＥＤは、発光素子の一例である。ＬＥＤは、例えば、単色の可視光を発するベアチップで構成され、通電されれば青色光を発する青色ＬＥＤチップで構成される。複数のＬＥＤは、基板６１に例えばマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール６０が白色光を出射し、ＬＥＤが青色光を発光する青色ＬＥＤチップである場合、蛍光体粒子は、例えばＹＡＧ系の黄色蛍光体で構成される。
【００２２】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子で構成されてもよく、半導体レーザ素子や、有機ＥＬ（Electro Luminescence）素子若しくは無機ＥＬ素子等の固体発光素子等で構成されてもよい。又は、光源は、白熱灯や蛍光灯で構成されてもよい。
【００２３】
図４に示すように、基板６１は、基板ホルダ６５に固定されている。基板ホルダ６５は、平面視で略矩形状の外形をなし、例えば樹脂部材により好適に構成される。基板６１は、基板ホルダ６５に対して接着、挟み込み等によって固定され、基板ホルダ６５はネジ６３によって基台１０の台座部２４に固定されている。
【００２４】
また、図３及び図４に示すように、基板ホルダ６５には、係合部６６が設けられている。本実施形態では２つの係合部６６が基板ホルダ６５に一体形成されている。基板ホルダ６５は、平面視で長方形状をなし、２つの短辺縁部の中央部分にそれぞれ形成されている。係合部６６は、光軸方向と直交する方向から見て略Ｌ字状の側面形状を有する爪状部として形成されている。より詳しくは、係合部６６は、基板ホルダ６５の表面から光出射側に突出するとともに、先端が光軸方向と直交する方向の外側へ向かって屈曲した形状を有する。係合部６６の先端は、後述するレンズホルダ４０のガイド溝に嵌り込んで係合する。基板ホルダ６５は基台１０に固定された静止部となるため、基板ホルダ６５の係合部６６もまた基台１０に固定された光源６２に対して静止している静止部を構成する。
【００２５】
図５を参照して、レンズ３０は、光軸方向に関して、光源モジュール６０よりも光出射側に配置される。より正確には、レンズ３０における光軸方向の光入射側の端面３５は、光源６２よりも光軸方向の光出射側に位置する。また、レンズホルダ４０は、レンズ３０を取り囲むように配置され、回転部材５０は、レンズホルダ４０を取り囲むように配置される。
【００２６】
図６は、光学ブロック７０と回転部材５０の分解斜視図である。図７は、光学ブロック７０の組立斜視図である。図８は、光学ブロック７０および回転部材５０の組立斜視図である。
【００２７】
図５に示すように、照明装置１は、光学ブロック７０を備える。光学ブロック７０は、図６及び図７に示すように、レンズ３０と、このレンズ３０を保持するレンズホルダ４０とによって構成される。
【００２８】
レンズ３０は、透光性を有する透光性材料によって構成され、アクリル、ポリカーボネート、シリコーン等の透明樹脂材料、又は、ガラス材料によって形成されると好ましい。レンズ３０は、上部中央に円筒状空間を含む凹部３１と、上端部から下端部にかけて円錐台状に末広がりとなる外周面３２と、外周面３２の下端部において径方向外側に突出したフランジ部３３とを有する。フランジ部３３には、周方向に間隔をおいて複数（本実施形態では３つ、図６ではそのうち２つを図示）の嵌合部３４が径方向内側に凹状に形成されている。また、嵌合部３４には、径方向内側に延在する切欠部３６が形成されている。
【００２９】
図６に示すように、レンズホルダ４０は、環状部材であり、レンズ３０を取り囲むように配置される。レンズホルダ４０は、アルミニウム等の金属材料、又はポリブチレンテレフタレート等の樹脂材料によって好適に形成される。レンズホルダ４０は、レンズ３０の外周面３２の径方向外側に沿って延在する円錐台状の外周面４１を有する。外周面４１の下端には、周方向に間隔をおいて複数（本実施形態では３つ）の嵌合凸部４２が光軸方向に突出して形成されている。嵌合凸部４２の径方向内側の表面には係止突起４３が形成されている。この係止突起４３は、レンズホルダ４０がレンズ３０に組み付けられたとき、レンズ３０の嵌合部３４に形成された切欠部３６に嵌り込むことによって、レンズホルダ４０からレンズ３０が光軸方向に外れないように保持する機能を果たす。
【００３０】
また、レンズホルダ４０の各嵌合凸部４２の径方向外側の表面には、側面視で矩形状をなすガイド突起４４が突出して形成されている。ガイド突起４４は、後述する回転部材５０の切欠部に嵌り込んで切欠部内を移動することで回転部材５０の軸方向に沿ってレンズホルダ４０が移動するようにガイドする機能を果たす。
【００３１】
さらに、レンズホルダ４０は、外周面４１の上端面から上方に突出する２つの円弧状壁部４５を有する。２つの円弧状壁部４５は、レンズホルダ４０の径方向に対向して設けられている。各円弧状壁部４５には、ガイド溝４６が形成されている。ガイド溝４６は、光軸方向に直交する平面に対して傾斜した方向に延在している。そして、２つの円弧状壁部４５に形成された各ガイド溝４６は、径方向に対向する位置において同じ高さ位置となる形状に形成されている。
【００３２】
回転部材５０は、略円筒状の部材であり、例えばポリブチレンテレフタレート等の樹脂材料によって好適に形成される。回転部材５０は、上側から順に、上端筒部５１、中間筒部５２、及び把持部５３を有する。上端筒部５１には、周方向に間隔をおいて３つの切欠部５４が光軸方向に延在して形成されている。切欠部５４は、上方に開口しており、その開口からレンズホルダのガイド突起４４を受け入れることができる。切欠部５４は、２つ又は４つ以上の複数であってもよい。
【００３３】
上端筒部５１は、その内径がレンズホルダ４０の外周面４１の最大径よりも大きく形成されている。これにより、レンズ３０を保持したレンズホルダ４０が上端筒部５１内において光軸方向に変動できるようになっている。
【００３４】
中間筒部５２は、上端筒部５１よりも外径が小さく形成されている。そのため、上端筒部５１と中間筒部５２との間には、下方から見て円環状をなす段部５５が形成されている。この段部５５は、回転部材５０が基台１０の有底円筒状部１１内に配置されたとき、有底円筒状部１１の内周面に形成された円環状突出部１３ａに係合可能となっており、基台１０から回転部材５０が脱落しないようにする機能を果たす。
【００３５】
把持部５３は、中間筒部５２の下端部から径方向外側に突出した円環状部分である。把持部５３の表面には、凹凸形状が周方向全周にわたって形成されており、これにより人が把持部５３を手で掴んで回転部材５０を回転し易くなっている。
【００３６】
中間筒部５２の下端部近傍には、複数（本実施形態では４つ）の係止突起５６が周方向に間隔をおいて形成されている。係止突起５６は、周方向から見て台形状の突起として形成されている。係止突起５６の下端面と把持部５３の上端面との間には、隙間が形成されている。この隙間には、図５に示すように回転部材５０が基台１０の有底円筒状部１１内に配置されたとき、有底円筒状部１１の下端において径方向内側に突出して形成されているフランジ部１３ｂが嵌り込んで配置される。これにより、基台１０から回転部材５０が脱落しないようにする機能を果たすとともに、回転部材５０は光軸方向の位置が略変わらずに基台１０に対して回転可能になっている。
【００３７】
図７に示すように、レンズ３０に対し、レンズホルダ４０が上方から被せられるように組み付けられて、光学ブロック７０が組み立てられる。この状態で、レンズホルダ４０の嵌合凸部４２にそれぞれ形成されている係止突起４３（図６参照）が、レンズ３０の嵌合部３４にある切欠部３６（図６参照）に嵌り込み、その結果、レンズホルダ４０からレンズ３０が光軸方向に外れないように保持される。
【００３８】
このように組み立てられた光学ブロック７０は、図８に示すように、回転部材５０の上端筒部５１内に挿入された状態に組み付けられる。このとき、光学ブロック７０を構成するレンズホルダ４０の最大径部分は上端筒部５１の内径より小さいため、光学ブロック７０と回転部材５０とは光軸方向に相対移動可能である。また、このように相対移動するとき、レンズホルダ４０のガイド突起４４が回転部材５０の切欠部５４に嵌り込んで切欠部５４内を移動することで、回転部材５０内で光学ブロック７０を光軸方向に沿って安定して移動させることができる。
【００３９】
次に、図９を参照して、照明装置１における配光調節について説明する。図９は、回転部材５０に対する光学ブロック７０の移動を説明するための斜視図である。
【００４０】
照明装置１が組み立てられた状態で、光源モジュール６０の基板ホルダ６５は基台１０の台座部２４に固定されており、また、回転部材５０は、基台１０の有底円筒状部１１に対して回転可能であるが光軸方向に移動不能に配置されている。また、基板ホルダ６５の係合部６６は、レンズホルダ４０の円弧状壁部４５に形成されたガイド溝４６の周方向一端側に嵌り込んで係合している。
【００４１】
この状態で、図９に示すように、人が把持部５３を掴んで回転部材５０を矢印Ｒ１で示す周方向一方側へ回転させると、基板ホルダ６５の係合部６６がガイド溝４６に沿って移動することで、レンズホルダ４０が矢印Ｚ１方向、すなわち、レンズ３０が光源モジュール６０に近づく方向に移動する。その結果、照明装置１から出射される出射光の配光角が大きくなって、照明範囲が広くなる。その反対に、基板ホルダ６５の係合部６６がガイド溝４６の周方向の中間領域または他端側に位置する状態で、回転部材５０を人が把持部５３を掴んで回転部材５０を矢印Ｒ２で示す周方向他方側へ回転させると、基板ホルダ６５の係合部６６がガイド溝４６に沿って移動することで、レンズホルダ４０が矢印Ｚ２方向、すなわち、レンズ３０が光源モジュール６０から離れる方向に移動する。その結果、照明装置１から出射される出射光の配光角が小さくなって照明範囲が狭くなる。
【００４２】
このように照明装置１において配光調節を行う場合、基台１０に対する回転部材５０の光軸方向位置は変動せず、回転部材５０は基台１０に組み付けられた状態で有底円筒状部１１の端部から更に突出することがない。
【００４３】
なお、上記においては、静止部となる基板ホルダ６５に係合部６６を設け、移動部となる光源モジュール６０のレンズホルダ４０にガイド溝４６を設けた例について説明したが、これに限定されるものではない。これとは逆に、静止部となる基板ホルダ６５や基台１０にガイド溝を設け、移動部となる光源モジュール６０に係合部を設けてもよい。
【００４４】
上述したように本実施形態の照明装置１は、基台１０と、基台１０内に配置される光源６２と、基台１０内で光源６２よりも光出射側に配置されるレンズ３０を含み、光源６２に対して静止している静止部に対する相対回転が可能な光学ブロック７０と、光軸方向の位置が略変わらず、静止部に対して回転可能になっている回転部材５０とを備える。光学ブロック７０及び回転部材のうちの一方はガイド溝４６を有し、光学ブロック７０及び回転部材５０のうちの他方は、ガイド溝４６に嵌り込んで回転部材５０が静止部に対して回転するとガイド溝４６内における存在位置が変動する係合部を有する。
【００４５】
この構成によれば、配光調節を実行できると共に、回転部材５０が基台１０から突出することがないので、コンパクト化を実現し易く、美観にも優れた照明装置を提供できる。
【００４６】
光軸方向が、枠体の高さ方向に対して変動可能なユニバーサル型の照明装置の場合において、従来技術のように、レンズの光軸方向位置を変動させる際にレンズが固定された基台の光軸方向長さが変動する構成を採用したとする。すると、光軸方向が枠体の高さ方向に対して大きく傾斜した場合で、かつ、基台の長さが長くなったときに、基台が枠体に干渉し易くなるので、これを回避するために、枠体を大きくする必要が生じ、照明装置が、特に大型化し易い。しかし、本開示の技術の場合、照明装置１がユニバーサル型であったとしても、レンズ３０の光軸方向位置を変動させる際に、レンズ３０が回転部材５０内を移動するだけで、照明装置１の外観（寸法）が一切変わることがない。したがって、照明装置１がユニバーサル型である場合、照明装置１をコンパクト化し易いという本願技術の作用効果の一つが特に格別で顕著なものになる。
【００４７】
本実施形態の照明装置１において、ガイド溝４６が光学ブロック７０のレンズホルダ４０に設けられている。この構成によれば、ガイド溝４６を静止部である基台１０に設ける場合に比べて、製造が容易となる利点がある。
【００４８】
また、本実施形態の照明装置１において、ガイド溝４６は、光軸方向と直交する平面に対して傾斜する傾斜している。これにより、回転部材５０の周方向の回転動作を光源モジュール６０の光軸方向の移動動作に容易かつ確実に変換することができる。
【００４９】
また、本実施形態の照明装置１において、光学ブロック７０がレンズ３０を保持するレンズホルダ４０を有し、ガイド溝４６はレンズホルダ４０に設けられている。この構成によれば、ガイド溝４６をレンズ３０や静止部である基台１０に設ける場合に比べて、製造が容易となる利点がある。
【００５０】
また、本実施形態の照明装置１において、光学ブロック７０は外周部に径方向外側へ突出するガイド突起４４を有し、回転部材５０は光軸方向に延在する切欠部５４を有し、光学ブロック７０が回転部材５０に対して光軸方向に移動するときガイド突起４４が切欠部５４に嵌り込んだ状態で切欠部５４に沿って移動する。この構成によれば、回転部材５０内で光学ブロック７０を光軸方向に沿って安定して移動させることができる。
【００５１】
さらに、本実施形態の照明装置１において、筐体は光源６２が固定される基台１０と、基台１０の光出射側に配置される枠体２０とを含み、枠体２０の高さ方向に対する光軸方向の傾斜角度が変動可能であってもよい。この構成によれば、光軸方向の傾斜角度を変えることで、光出射方向を変更でき、照明装置１による照明方向を容易に変更できる。
【００５２】
図１０は、レンズホルダの変形例を示す図７と同様の斜視図である。図１０に示すように、レンズホルダ４０Ａは、２つの円弧状壁部４５ａを有し、円弧状壁部４５ａにはガイド溝４６がそれぞれ形成されているが、各ガイド溝４６は光軸方向と直交する平面に対して傾斜しておらず、周方向に沿って延在するように形成されている。これ以外の構成は、上述したレンズホルダ４０と同様である。この場合、ガイド溝４６に基板ホルダ６５の係合部６６が係合した状態で回転部材５０を回転させても、レンズ３０及びレンズホルダ４０Ａを含む光源モジュール６０の光軸方向位置は変動せず、レンズ３０の回転位置が変わるだけである。この場合には、レンズとしてプリズム性能を有するものを用いることで、レンズを回転させることで光出射方向又は照明方向を変更することが可能である。
【００５３】
図１１は、レンズホルダ４０のガイド溝４６に係合する係合部の変形例を示す図である。上記ではレンズホルダ４０のガイド溝４６に嵌り込む係合部６６が光源モジュール６０の基板ホルダ６５に設けられた例を説明したが、これに限定されるものではない。例えば、図１１に示すように基台１０の有底円筒状部１１に外側から貫通して係合部材６６Ａを取り付けてレンズホルダ４０のガイド溝４６に係合させても良いし、或いは、有底円筒状部１１の内面から突出する係合部を基台１０と一体に形成してレンズホルダ４０のガイド溝４６に係合させても良い。
【００５４】
なお、本開示は、上記実施形態およびその変形例に限定されるものではなく、本願の特許請求の範囲に記載された事項の範囲内において種々の改良や変更が可能である。
【００５５】
例えば、上記では光学ブロック７０をレンズホルダ４０及びレンズ３０で構成する場合について説明した。しかし、光学ブロックは、レンズのみで構成されてもよい。
【００５６】
また、ガイド溝４６が、円弧状壁部４５を厚さ方向に貫通する場合について説明した。しかし、ガイド溝は、光学ブロックの壁部を厚さ方向に貫通しなくてもよく、一対の側壁部と底部とで形成される形状であってもよい。
【００５７】
また、照明装置１が、枠体２０の高さ方向に対する光軸方向の傾斜角度が変動可能な構成を有し、照明装置１が、所謂ユニバーサル型のダウンライトである場合について説明した。しかし、照明装置は、鉛直方向に対する光軸方向の傾斜角度を調整不可能な構成でもよく、ユニバーサル型の照明装置でなくてもよい。
【００５８】
さらに、ダウンライトやスポットライトは多種多様な構造が存在するが、本開示の技術は、それらの多種多様のダウンライトやスポットライトのうちのいずれの構造が基本となっていてもよい。また、照明装置１が、埋め込み型ダウンライトである場合について説明したが、照明装置は、レールに吊り下げられる形式や、天井に吊り下げられる形式でもよい。
【符号の説明】
【００５９】
１  照明装置、１０  基台（筐体）、１１  有底円筒状部、１２  フィン、１３ａ  円環状突出部、１３ｂ，３３  フランジ部、１５  バネ取付部材、１５ａ  環状平板部、１５ｂ  バネ取付部、１７  光軸調整用部材、１７ａ  環状平板部、１７ｂ  上側基台固定部、１７ｃ  下側基台固定部、１７ｄ  長孔、２０  枠体、２１，６３  ネジ、２３  取付バネ、２４  台座部、３０  レンズ、３１  凹部、３２，４１  外周面、３４  嵌合部、３５  端面、３６  切欠部、４０，４０Ａ  レンズホルダ、４２  嵌合凸部、４３  係止突起、４４  ガイド突起（突出部）、４５，４５ａ  円弧状壁部、４６  ガイド溝、５０  回転部材、５１  上端筒部、５２  中間筒部、５３  把持部、５４  切欠部、５５  段部、５６  係止突起、６０  光源モジュール、６１  基板、６２  光源、６４ａ，６４ｂ  電極端子、６５  基板ホルダ、６６  係合部、６６Ａ  係合部材、７０  光学ブロック、Ｌ  光軸。
【図１】
2020119745.tif 000003
【図２】
2020119745.tif 000004
【図３】
2020119745.tif 000005
【図４】
2020119745.tif 000006
【図５】
2020119745.tif 000007
【図６】
2020119745.tif 000008
【図７】
2020119745.tif 000009
【図８】
2020119745.tif 000010
【図９】
2020119745.tif 000011
【図１０】
2020119745.tif 000012
【図１１】
2020119745.tif 000013